(57)【要約】【課題】タッチ操作により集約印刷の設定を直感的に操作でき、操作性の改善を図った画像形成装置および情報処理装置を提供する。【解決手段】情報を表示する表示部（１１）と、集約印刷を設定する機能を備える入力部（１２）と、入力部（１２）により設定された事項に基づき表示部（１１）に表示される情報を制御する制御部（４０）とを備えて、集約印刷を可能とした画像形成装置（１）であって、入力部（１１）は、利用者のマルチタッチによるピンチイン・ピンチアウト操作により画像倍率を設定する画像倍率設定機能（１２１）を備え、制御部（４０）は、マルチタッチによるピンチイン・ピンチアウト操作により設定される画像倍率に応じて１ページあたりに集約される画像の数を指定する画像集約数設定機能（４０１）を備えることを特徴とするものである。【選択図】図２
2014068101.tif 000002
【特許請求の範囲】
【請求項１】
情報を表示する表示部と、集約印刷を設定する機能を備える設定部と、前記設定部により設定された事項に基づき前記表示部に表示される情報を制御する制御部とを備えて、集約印刷を可能とした画像形成装置であって、
前記設定部は、利用者のマルチタッチによるピンチイン・ピンチアウト操作により画像倍率を設定する機能を含むタッチ操作入力を受け付ける機能を備え、
前記制御部は、マルチタッチによるピンチイン・ピンチアウト操作により設定される画像倍率に応じて１ページあたりに集約される画像の数を指定する機能を備えることを特徴とする画像形成装置。
【請求項２】
前記集約印刷は、１ページに複数ページの画像を集約して印刷するＮ−ｕｐ印刷もしくはリピート印刷であることを特徴とする請求項１に記載の画像形成装置。
【請求項３】
前記設定部は、マルチタッチの回転操作により集約される画像の向きを指定する機能を備えることを特徴とする請求項１または２に記載の画像形成装置。
【請求項４】
前記設定部は、ドラッグ操作により用紙上の画像の位置及び並び順を指定する機能を備えることを特徴とする請求項１から３のうちの何れか一項に記載の画像形成装置。
【請求項５】
情報を表示する表示部と、集約印刷を設定する機能を備える設定部と、前記設定部により設定された事項に基づき前記表示部に表示される情報を制御する制御部と、を備える情報処理装置であって、
前記設定部は、利用者のマルチタッチによるピンチイン・ピンチアウト操作により画像倍率を設定する機能を含むタッチ操作入力を受け付ける機能を備え、
前記制御部は、マルチタッチによるピンチイン・ピンチアウト操作により設定される画像倍率に応じて１ページあたりに集約される画像の数を指定する機能を備えることを特徴とする情報処理装置。
【請求項６】
前記集約印刷は、１ページに複数ページの画像を集約して印刷するＮ−ｕｐ印刷もしくはリピート印刷であることを特徴とする請求項５に記載の情報処理装置。
【請求項７】
前記設定部は、マルチタッチの回転操作により集約される画像の向きを指定する機能を備えることを特徴とする請求項５または６に記載の情報処理装置。
【請求項８】
前記設定部は、ドラッグ操作により用紙上の画像の位置及び並び順を指定する機能を備えることを特徴とする請求項５から７のうちの何れか一項に記載の情報処理装置。
【発明の詳細な説明】
【技術分野】
【０００１】
本発明は、画像形成装置および情報処理装置に係り、特に、集約印刷の設定が可能な画像形成装置および情報処理装置に関する。
【背景技術】
【０００２】
近年、表示部を備える装置において、表示部の画面上に出力される画像を表示して、最終的にはどのような状態で出力されるかを確認できるようにしたプレビュー機能が搭載されたものが知られている。
【０００３】
従来技術として、例えば、画像データに基づいて画像を表示装置にプレビュー画像を表示する画像形成装置において、プレビュー表示された画像上にポイントを設定して画像データに対して変倍設定するようにしたものが開示されている（特許文献１を参照）。
【０００４】
これによれば、印刷時の寸法が利用者の所望値になるように、画像の画像データに対して変倍処理を行うことができるので、印刷出力される画像の一部分の寸法を簡易且つ正確に変倍処理の条件設定をすることができる。
【先行技術文献】
【特許文献】
【０００５】
【特許文献１】特開２０１１−１７１８４１号公報
【発明の概要】
【発明が解決しようとする課題】
【０００６】
しかしながら、特許文献１のような方式では、集約印刷を行う場合は、利用者が最終的にどのような印刷状態になるかを予想しながら、「集約数」、「画像向き」、「画像並び順」を設定項目毎にボタンで選択して設定しなければならなかった。したがって、プレビュー機能を有していても、設定が完了してからプレビュー表示して印刷状態を確認するため、予想どおりの出来上がりでなければ設定をやり直さなければならず、設定の操作性に改善の余地があった。
【０００７】
また、従来技術では、タッチ操作を用いて操作性の改善を図るようにしたものが知られているが、集約印刷の操作における課題を改善するものではなかった。
【０００８】
本発明は、上記従来の問題点に鑑みてなされたものであって、タッチ操作により集約印刷の設定を直感的に操作でき、操作性の改善を図った画像形成装置および情報処理装置を提供することを目的とする。
【課題を解決するための手段】
【０００９】
上述した課題を解決するための本発明に係る画像形成装置および情報処理装置は、次の通りである。
【００１０】
本発明は、情報を表示する表示部と、集約印刷を設定する機能を備える設定部と、前記設定部により設定された事項に基づき前記表示部に表示される情報を制御する制御部とを備えて、集約印刷を可能とした画像形成装置であって、前記設定部の機能として、利用者のマルチタッチによるピンチイン・ピンチアウト操作により画像倍率を設定する機能を含むタッチ操作入力を受け付ける機能を備え、前記制御部の機能として、マルチタッチによるピンチイン・ピンチアウト操作により設定される画像倍率に応じて１ページあたりに集約される画像の数を指定する機能を備えることを特徴とするものである。
【００１１】
また、本発明は、前記集約印刷を、１ページに複数ページの画像を集約して印刷するＮ−ｕｐ印刷もしくはリピート印刷（増刷）とすることが好ましい。
【００１２】
また、本発明は、前記設定部の機能として、マルチタッチの回転操作により集約される画像の向きを指定する機能を備えることが好ましい。
【００１３】
また、本発明は、前記設定部の機能として、ドラッグ操作により用紙上の画像の位置及び並び順を指定する機能を備えることが好ましい。
【００１４】
さらに、本発明は、情報を表示する表示部と、集約印刷を設定する機能を備える設定部と、前記設定部により設定された事項に基づき前記表示部に表示される情報を制御する制御部と、を備える情報処理装置であって、前記設定部の機能として、利用者のマルチタッチによるピンチイン・ピンチアウト操作により画像倍率を設定する機能を含むタッチ操作入力を受け付ける機能を備え、前記制御部の機能として、マルチタッチによるピンチイン・ピンチアウト操作により設定される画像倍率に応じて１ページあたりに集約される画像の数を指定する機能を備えることを特徴とするものである。
【００１５】
また、本発明は、前記集約印刷を、１ページに複数ページの画像を集約して印刷するＮ−ｕｐ印刷もしくはリピート印刷（増刷）とすることが好ましい。
【００１６】
また、本発明は、前記設定部の機能として、マルチタッチの回転操作により集約される画像の向きを指定する機能を備えることが好ましい。
【００１７】
また、本発明は、前記設定部の機能として、ドラッグ操作により用紙上の画像の位置及び並び順を指定する機能を備えることが好ましい。
【発明の効果】
【００１８】
本発明の画像形成装置によれば、情報を表示する表示部と、集約印刷を設定する機能を備える設定部と、前記設定部により設定された事項に基づき前記表示部に表示される情報を制御する制御部とを備えて、集約印刷を可能とした画像形成装置であって、前記設定部の機能として、利用者のマルチタッチによるピンチイン・ピンチアウト操作により画像倍率を設定する機能を含むタッチ操作入力を受け付ける機能を備え、前記制御部の機能として、マルチタッチによるピンチイン・ピンチアウト操作により設定される画像倍率に応じて１ページあたりに集約される画像の数を指定する機能を備えることで、利用者のタッチ操作をマルチタッチ操作とすることにより、複数の指をタッチ面から離さずにピンチイン・アウトとローテートの連続操作ができるので、従来よりも素早く直感的な操作が可能となり、操作性の改善を図ることができる。
【００１９】
また、本発明の情報処理装置によれば、情報を表示する表示部と、集約印刷を設定する機能を備える設定部と、前記設定部により設定された事項に基づき前記表示部に表示される情報を制御する制御部と、を備える情報処理装置であって、前記設定部の機能として、利用者のマルチタッチによるピンチイン・ピンチアウト操作により画像倍率を設定する機能を含むタッチ操作入力を受け付ける機能を備え、前記制御部の機能として、マルチタッチによるピンチイン・ピンチアウト操作により設定される画像倍率に応じて１ページあたりに集約される画像の数を指定する機能を備えることで、マルチタッチ操作とすることにより複数の指をタッチ面から離さずにピンチイン・アウトとローテートの連続操作ができるので、従来よりも素早く直感的な操作が可能となり、操作性の改善を図ることができる。
【図面の簡単な説明】
【００２０】
【図１】本発明の第１実施形態に係る情報処理装置として採用する画像形成装置の操作部の構成を示す説明図である。
【図２】前記画像形成装置の構成をブロック図で示す説明図である。
【図３】（ａ）は前記画像形成装置の操作部においてマルチタッチにより表示画像に対してピンチイン縮小を行う操作の一例を示す説明図、（ｂ）は前記操作部において表示画像に対してマルチタッチにより回転を行う操作の一例を示す説明図、（ｃ）は前記操作部において１枚の用紙に２画像を集約する一例を示す説明図である。
【図４】（ａ）は前記画像形成装置の操作部においてマルチタッチにより表示画像に対してピンチイン縮小を行う操作の一例を示す説明図、（ｂ）は前記操作部において表示画像に対してタッチ操作によりドラッグして移動を行う操作の一例を示す説明図、（ｃ）は前記操作部において１枚の用紙に４画像を集約する一例を示す説明図である。
【図５】（ａ）は前記画像形成装置の操作部においてマルチタッチにより表示画像に対してピンチイン縮小を行う操作の一例を示す説明図、（ｂ）は前記操作部において表示画像に対してマルチタッチにより回転を行う操作の一例を示す説明図、（ｃ）は前記操作部において１枚の用紙に２画像をリピート印刷する一例を示す説明図である。
【図６】（ａ）は前記画像形成装置の操作部においてマルチタッチにより表示画像に対してピンチイン縮小を行う操作の一例を示す説明図、（ｂ）は前記操作部において表示画像に対してタッチ操作によりドラッグして移動を行う操作の一例を示す説明図、（ｃ）は前記操作部において１枚の用紙に４画像をリピート印刷する一例を示す説明図である。
【図７】前記画像形成装置の操作部において集約印刷を設定する手順を示すフローチャートである。
【図８】前記画像形成装置の操作部におけるタッチ入力に対応する処理を指示するテーブルの一例を示す説明図である。
【図９】（ａ）〜（ｇ）は第１実施形態の画像形成装置における集約印刷時のプレビュー画像の表示処理Ａ〜Ｇを示す説明図である。
【図１０】第１実施形態の画像形成装置の操作部において集約印刷を設定する操作の変形例１を示すフローチャートである。
【図１１】第１実施形態の画像形成装置の操作部において集約印刷を設定する操作の変形例２を示すフローチャートである。
【図１２】本発明の第２実施形態に係る情報処理装置と画像形成装置の構成をブロック図で示す説明図である。
【図１３】前記情報処理装置のタッチパネル表示装置において集約印刷を設定する手順を示すフローチャートである。
【発明を実施するための形態】
【００２１】
（第１実施形態）
以下、本発明の情報処理装置を実施するための形態について図面を参照して説明する。
図１は発明を実施する形態の一例であって、本発明の第１実施形態に係る情報処理装置として採用する画像形成装置の操作部の構成を示す説明図、図２は前記画像形成装置の構成をブロック図で示す説明図である。
【００２２】
第１実施形態に係る情報処理装置として機能する複合機である画像形成装置１は、図１、図２に示すように、情報を表示する表示部１１と、集約印刷を設定する機能を備える入力部（設定部）１２と、入力部１２により設定された事項に基づき表示部１１に表示される情報を制御する制御部４０とを備えて、集約印刷を可能とした画像形成装置であって、本発明に係る画像形成装置の特徴的な構成を採用したものである。
【００２３】
まず、第１実施形態に係る画像形成装置１の概略構成について説明する。
画像形成装置１は、図１、図２に示すように、主に、表示部１１と入力部１２を具備する操作部１０と、原稿読取部２０と、画像形成部３０と、それぞれの構成部を制御する制御部４０とを備えて構成されている。
【００２４】
表示部１１は、画像（情報）を表示するためのもので、例えば、バックライト付きの液晶表示装置（図示省略）等を備えて構成され、入力部１２の下側に重ねて構成される。
【００２５】
入力部１２は、ユーザからの入力を検出するもので、例えば、透明な電極を設けた透明なシートを対向させて設け、その接触により電圧を測定し、入力位置を検出するアナログ抵抗膜方式のタッチパネルを備えて構成され、表示部１１の上に重ねて設けられる。
【００２６】
ここで、第１実施形態の画像形成装置１の特徴的な構成について説明する。
第１実施形態では、画像形成装置１は、画像出力機能、コピー機能、ファックス機能を含む複数の機能を備える複合機であって、集約印刷を可能に構成されている。
【００２７】
第１実施形態において、集約印刷は、１ページに複数ページの画像を集約して印刷するＮ−ｕｐ印刷もしくはリピート印刷（増刷）を含むものである。
【００２８】
入力部１２は、特徴的な機能として、図２に示すように、利用者のマルチタッチによるピンチイン・ピンチアウト操作により画像倍率を設定する画像倍率設定機能１２１と、マルチタッチの回転操作により集約される画像の向きを指定するローテート操作機能１２２と、ドラッグ操作により用紙上の画像の位置及び並び順を指定するドラッグ操作機能１２３とを備えている。
【００２９】
制御部４０は、特徴的な機能として、図２に示すように、マルチタッチによるピンチイン・ピンチアウト操作により設定される画像倍率に応じて１ページあたりに集約される画像の数を指定する画像集約数設定機能４０１と、１ページに集約される複数ページの画像を同時に変倍してプレビュー表示する集約画像変倍表示機能４０２と、１ページに集約される複数ページの画像を同時に回転してプレビュー表示する集約画像回転表示機能４０３を備えている。
【００３０】
ここで、第１実施形態の画像形成装置１により集約印刷としてＮ−ｕｐ印刷を行う場合について、具体的に説明する。
図３の（ａ）は第１実施形態の画像形成装置の操作部においてマルチタッチにより表示画像に対してピンチイン縮小を行う操作の一例を示す説明図、（ｂ）は前記操作部において表示画像に対してマルチタッチにより回転を行う操作の一例を示す説明図、（ｃ）は前記操作部において１枚の用紙に２画像を集約する一例を示す説明図である。
【００３１】
画像形成装置１により、例えば、Ａ３サイズの用紙に１枚に２ページ分の画像を集約して印刷を行う２−ｕｐ印刷を行う場合は、まず、操作部１０において予めＮ−ｕｐの操作を行うことを設定し、表示部１１にプレビュー画面を起動する。
【００３２】
そして、図３（ａ）に示すように、利用者がプレビュー画面上で原稿画像のプレビュー画像（サムネイル）の何れか１ページを画像上で倍率７０％前後までピンチイン縮小する。そして、図３（ｂ）に示すように、左方向（反時計回り）に９０°回転させる。
【００３３】
このように操作することで、画像の画像倍率と、画像倍率に基づく集約数と画像向き（回転した状態）を同時に決定できる。すなわち、１ページ分のプレビュー画像を倍率７０％前後までピンチイン縮小することで、図３（ｃ）に示すように、２−ｕｐ印刷のプレビュー画像を表示して、２−ｕｐ印刷の設定を行うことができる。
【００３４】
このように、第１実施形態の画像形成装置１によれば、２−ｕｐ印刷による印刷物の出来上がりを確認しながら２−ｕｐ印刷の設定操作を行うことができる。
【００３５】
次に、第１実施形態の画像形成装置１により４−ｕｐ印刷を行う場合について、具体的に説明する。
図４の（ａ）は第１実施形態の画像形成装置の操作部においてマルチタッチにより表示画像に対してピンチイン縮小を行う操作の一例を示す説明図、（ｂ）は前記操作部において表示画像に対してタッチ操作によりドラッグして移動を行う操作の一例を示す説明図、（ｃ）は前記操作部において１枚の用紙に４画像を集約する一例を示す説明図である。
【００３６】
画像形成装置１により、例えば、Ａ３サイズの用紙に１枚に４ページ分の画像を集約して印刷を行う４−ｕｐ印刷を行う場合は、まず、操作部１０において予めＮ−ｕｐの操作を行うことを設定し、表示部１１にプレビュー画面を起動する。
【００３７】
そして、図４（ａ）に示すように、利用者がプレビュー画面上で原稿画像のプレビュー画像（サムネイル）の何れか１ページを画像上で倍率５０％前後までピンチイン縮小する。この操作により画像倍率、画像倍率に基づく集約数を決定する。ここでは、１ページの画像を倍率５０％前後まで縮小することで、４ページ分の画像を集約する４−ｕｐ印刷が決定される。
【００３８】
そして、図４（ｂ）に示すように、縮小した画像をドラッグ操作して、用紙の左上に移動させることで、画像の位置が決定される。すなわち、プレビュー画像に対してピンチ・ドラッグ（または回転）操作を行うことにより、集約印刷の設定が４−ｕｐ印刷に変更（決定）された後、図４（ｃ）に示すように、印刷対象となる全ての印刷ページ画像が同時に変倍、移動（または回転）して４−ｕｐ印刷のプレビュー画像が表示される。
そして、ページ送り操作により最終ページまでプレビュー画像を確認できる。
【００３９】
このように、第１実施形態の画像形成装置１によれば、４−ｕｐ印刷による印刷物の出来上がりを確認しながら４−ｕｐ印刷の設定操作を行うことができる。
【００４０】
次に、第１実施形態の画像形成装置１により集約印刷としてリピート印刷を行う場合について、具体的に説明する。
図５の（ａ）は第１実施形態の画像形成装置の操作部においてマルチタッチにより表示画像に対してピンチイン縮小を行う操作の一例を示す説明図、（ｂ）は前記操作部において表示画像に対してマルチタッチにより回転を行う操作の一例を示す説明図、（ｃ）は前記操作部において１枚の用紙に２画像をリピート印刷する一例を示す説明図である。
【００４１】
画像形成装置１により、例えば、Ａ３サイズの用紙に１枚に２画像のリピート印刷を行う場合は、まず、操作部１０において予めリピート印刷を行うことを設定し、表示部１１にプレビュー画面を起動する。
【００４２】
そして、図５（ａ）に示すように、利用者がプレビュー画面上でリピート印刷したい原稿画像のプレビュー画像（サムネイル）を画像上で倍率７０％前後までピンチイン縮小する。そして、図５（ｂ）に示すように、左方向（反時計回り）に９０°回転させる。
【００４３】
このように操作することで、画像の画像倍率と、画像倍率に基づく集約数と画像向き（回転した状態）を同時に決定できる。すなわち、１ページ分のプレビュー画像を倍率７０％前後までピンチイン縮小することで、図５（ｃ）に示すように、リピート印刷のプレビュー画像を表示して、リピート印刷の設定を行うことができる。
【００４４】
このように、第１実施形態の画像形成装置１によれば、リピート印刷による印刷物の出来上がりを確認しながらリピート印刷の設定操作を行うことができる。
【００４５】
次に、第１実施形態の画像形成装置１により４枚のリピート印刷を行う場合について、具体的に説明する。
図６の（ａ）は第１実施形態の画像形成装置の操作部においてマルチタッチにより表示画像に対してピンチイン縮小を行う操作の一例を示す説明図、（ｂ）は前記操作部において表示画像に対してタッチ操作によりドラッグして移動を行う操作の一例を示す説明図、（ｃ）は前記操作部において１枚の用紙に４画像をリピート印刷する一例を示す説明図である。
【００４６】
画像形成装置１により、例えば、Ａ３サイズの用紙に１枚に４画像のリピート印刷を行う場合は、まず、操作部１０において予めリピート印刷を行うことを設定し、表示部１１にプレビュー画面を起動する。
【００４７】
そして、図６（ａ）に示すように、利用者がプレビュー画面上でリピート印刷した原稿画像のプレビュー画像（サムネイル）を画像上で倍率５０％前後までピンチイン縮小する。この操作により画像倍率、画像倍率に基づく集約数を決定する。ここでは、１ページの画像を倍率５０％前後まで縮小することで、４画像のリピート印刷が決定される。
【００４８】
そして、図６（ｂ）に示すように、縮小した画像をドラッグ操作して、用紙の左上に移動させることで、画像の位置が決定される。すなわち、プレビュー画像に対してピンチ・ドラッグ（または回転）操作を行うことにより、リピート印刷の設定が４画像に決定された後、図６（ｃ）に示すように、印刷ページ画像が変倍、移動（または回転）してリピート印刷のプレビュー画像が表示される。
【００４９】
このように、第１実施形態の画像形成装置１によれば、リピート印刷による印刷物の出来上がりを確認しながらリピート印刷の設定操作を行うことができる。
【００５０】
次に、第１実施形態の画像形成装置１の操作部１０の入力部１２においてタッチ操作により集約印刷を設定する操作に関する画像形成装置１の処理手順について、フローチャートに沿って説明する。
図７は第１実施形態の画像形成装置の操作部において集約印刷を設定する手順を示すフローチャート、図８は前記画像形成装置の操作部におけるタッチ入力に対応する処理を指示するテーブルの一例を示す説明図である。
【００５１】
画像形成装置１において、Ｎ−ｕｐ印刷またはリピート印刷を行う集約印刷の動作モードをユーザが指定するとフローがスタートする。
【００５２】
まず、ユーザが原稿をセットして、原稿読み取りの開始指示が行われたか否かが判断される（ステップＳ１）。ステップＳ１において、原稿読み取りの開始指示が行われたと判断された場合は、原稿読み取りが実行される（ステップＳ２）。そして、図３（ａ）に示すように、表示部１１に読み取られた原稿のプレビュー画像が表示される（ステップＳ３）。そして、ステップＳ４に進む。
【００５３】
原稿読み取り時には、図示しない原稿サイズセンサにより原稿サイズが検出される。
印刷用紙サイズは、デフォルト状態では原稿サイズと同一サイズが設定されている。なお、原稿サイズの設定は手動で変更しても良い。
【００５４】
ステップＳ４では、入力部１２においてタッチ入力が検出されたか否かが判断される。
入力部１２においてタッチパネルへのタッチ入力が検出されると、そのタッチ入力が原稿のプレビュー画像（サムネイル）が表示されている領域に対するタッチ入力であり、かつローテート、ピンチイン、ピンチアウト、ドラッグの操作の場合、それらの操作に応じてプレビュー画像の表示を回転、拡大、縮小、移動させて表示を行う。
【００５５】
ステップＳ４において、入力部１２におけるタッチ入力が検出されたと判断された場合は、そのタッチ入力がローテート操作であるか否かが判断される（ステップＳ５）。
【００５６】
ステップＳ５において、タッチ入力がローテート操作であると判断された場合は、指示された方向（角度）に画像を回転して（ステップＳ６）、そのプレビュー画像を表示部１１に表示して（ステップＳ７）、ステップＳ８に進む。
【００５７】
一方、ステップＳ５において、タッチ入力がローテート操作ではないと判断された場合は、そのままステップＳ８に進む。
【００５８】
ステップＳ８では、タッチ入力がピッチイン操作（縮小操作）であるか否かが判断される。ステップＳ８において、タッチ入力がピッチイン操作であると判断された場合は、画像を縮小して（ステップＳ９）、そのプレビュー画像を表示部１１に表示して（ステップＳ１０）、ステップＳ１１に進む。
【００５９】
一方、ステップＳ８において、タッチ入力がピッチイン操作ではないと判断された場合は、そのままステップＳ１１に進む。
【００６０】
ステップＳ１１では、タッチ入力がピンチアウト操作（拡大操作）であるか否かが判断される。ステップＳ１１において、タッチ入力がピンチアウト操作であると判断された場合は、画像を拡大して（ステップＳ１２）、そのプレビュー画像を表示部１１に表示して（ステップＳ１３）、ステップＳ１４に進む。
【００６１】
一方、ステップＳ１１において、タッチ入力がピンチアウト操作ではないと判断された場合は、そのままステップＳ１４に進む。
【００６２】
ステップＳ１４では、タッチ入力がドラッグ操作であるか否かが判断される。
ステップＳ１４において、タッチ入力がドラッグ操作であると判断された場合は、画像を指示通り移動して（ステップＳ１５）、そのプレビュー画像を表示部１１に表示して（ステップＳ１６）、ステップＳ１７に進む。
【００６３】
一方、ステップＳ１４において、タッチ入力がドラッグ操作ではないと判断された場合は、そのままステップＳ１７に進む。
【００６４】
なお、入力部１２において、プレビュー画像上に対して上述した何れの操作が行われたかを、図示しない記憶部にいったん記録し、例えば、図８に示すプレビュー画像を表示する処理をするためのテーブルを参照して、行われた操作に基づき、該当する表示処理Ａ〜Ｆをテーブルから読み出して、Ｎ−ｕｐ印刷またはリピート印刷の設定に反映する。
【００６５】
ステップＳ１７では、タッチ入力による操作が、プレビュー画像を表示する処理をするためのテーブルにおいて参照される。そして、プレビュー画像を表示する処理をするためのテーブルに基づき、集約後の状態が表示部１１にプレビュー表示される（ステップＳ１８）。
【００６６】
そして、その他の操作により指示があったか否かが判断される（ステップＳ１９）。
ステップＳ１９において、その他の操作による指示があったと判断された場合は、操作に応じた処理が実行されて（ステップＳ２０）、ステップＳ２１に進む。
【００６７】
一方、ステップＳ１９において、その他の操作による指示がないと判断された場合は、そのままステップＳ２１に進む。
【００６８】
ステップＳ２１では、印刷開始の指示があったか否かが判断される。
ステップＳ２１において、印刷開始の指示がないと判断された場合は、ステップＳ４に戻る。
【００６９】
一方、ステップＳ２１において、印刷開始の指示があったと判断された場合は、印刷処理が実行される（ステップＳ２２）。
このようにして、画像形成装置１における集約印刷の処理は終了する。
【００７０】
ここで、画像形成装置１に予め具備された、表示処理を指示するテーブルについて、具体的に説明する。
【００７１】
表示部１１に表示されるプレビュー画像は、プレビュー画像を表示する処理をするためのテーブルに基づき、タッチ入力によるローテート、ピンチイン、ピンチアウト、ドラッグの操作により決定される。
【００７２】
プレビュー画像を表示する処理をするためのテーブルは、図８に示すように、大きくはローテート（回転角）、ピンチ倍率、ドラッグ（移動）の３条件によって形成されている。
【００７３】
ローテート（回転角度）は、「０°」と「９０°」との２条件に対応されている。
そして、それぞれの角度に対してピンチ倍率は、「１００％」、「７０％」、「５０％」との３条件に対応されている。さらに、それぞれのピンチ倍率に対してドラッグ操作は、「ドラッグ無し」、「ドラッグ左上」、「ドラッグ右上」との３条件に対応されている。
【００７４】
したがって、プレビュー画像を表示する処理をするためのテーブルは、それぞれの条件に対応して１８（３×２×３）態様の表示処理が設定されている。
【００７５】
本実施形態では、この１８態様の表示処理に対して、図９の（ａ）〜（ｇ）に示すように、表示処理Ａ〜Ｇでプレビュー表示されるように設定されている。
【００７６】
ここで、プレビュー画像を表示する処理をするためのテーブルに基づくプレビュー画像の表示処理について、図面を参照して具体的に説明する。
図９の（ａ）〜（ｇ）は第１実施形態の画像形成装置における集約印刷時のプレビュー画像の表示処理を示す説明図である。
【００７７】
画像形成装置１による集約印刷として、例えば、Ａ３サイズの原稿を４枚、Ａ３サイズに印刷する場合について説明する。
【００７８】
印刷時に、特に指定がない場合は、図９（ａ）に示すように、用紙１枚に対して１ページ分の画像が等倍の１−ｕｐ印刷となる表示処理Ａでプレビュー表示される。
【００７９】
ピンチイン操作によりピンチ倍率を７０％に縮小し、ローテート操作により９０°回転させた場合は、図９（ｂ）に示すように、２−ｕｐ印刷が指定されて表示処理Ｂでプレビュー表示される。
【００８０】
ピンチイン操作により５０％に縮小した場合は、図９（ｃ）に示すように、２−ｕｐ印刷が指定されて表示処理Ｃでプレビュー表示される。
【００８１】
ピンチイン操作により５０％に縮小し、表示された用紙の左上にドラッグ操作した場合は、図９（ｄ）に示すように、４−ｕｐ印刷が指定されて１ページ目の画像が用紙の左上に配置される表示処理Ｄでプレビュー表示される。
【００８２】
ピンチイン操作により５０％に縮小し、表示される用紙の右上にドラッグ操作した場合は、図９（ｅ）に示すように、４−ｕｐ印刷が指定されて１ページ目の画像が用紙の右上に配置される表示処理Ｅでプレビュー表示される。
【００８３】
ピンチイン操作により５０％に縮小し、ローテート操作により９０°回転操作した場合は、図９（ｆ）に示すように、２−ｕｐ印刷が指定されて表示処理Ｆでプレビュー表示される。
【００８４】
ピンチイン操作により５０％に縮小し、ローテート操作により９０°回転操作して、表示された用紙の右上にドラッグ操作した場合は、図９（ｇ）に示すように、２−ｕｐ印刷が指定されて１ページ目の画像が右側に配置される表示処理Ｇでプレビュー表示される。
【００８５】
なお、リピート印刷の場合も、画像の倍率・配置に対応して上記と同様の表示処理でプレビュー表示される。
【００８６】
以上のように構成したので、第１実施形態によれば、情報を表示する表示部１１と、集約印刷を設定する機能を備える入力部１２と、入力部１２により設定された事項に基づき表示部１１に表示される情報を制御する制御部４０とを備えて、集約印刷を可能とした画像形成装置１において、入力部１２の構成として、利用者のマルチタッチによるピンチイン・ピンチアウト操作により画像倍率を設定する画像倍率設定機能１２１と、マルチタッチの回転操作により集約される画像の向きを指定するローテート操作機能１２２と、ドラッグ操作により用紙上の画像の位置及び並び順を指定するドラッグ操作機能１２３とを備え、制御部４０の機能として、マルチタッチによるピンチイン・ピンチアウト操作により設定される画像倍率に応じて１ページあたりに集約される画像の数を指定する画像集約数設定機能４０１と、１ページに集約される複数ページの画像を同時に変倍してプレビュー表示する集約画像変倍表示機能４０２と、１ページに集約される複数ページの画像を同時に回転してプレビュー表示する集約画像回転表示機能４０３を備えることで、利用者によるタッチ操作をマルチタッチ操作とすることにより、複数の指をタッチ面から離さずにピンチイン・アウトとローテートの連続操作ができるので、従来よりも素早く直感的な操作が可能となり、操作性の改善を図ることができる。
【００８７】
また、第１実施形態によれば、利用者のマルチタッチによるピンチイン・ピンチアウト操作により画像倍率を設定する画像倍率設定機能１２１により、倍率設定ボタン等により倍率を入力することなく、任意の倍率を設定できるので、マルチタッチによるピンチイン・ピンチアウト操作により設定される画像倍率に応じて１ページあたりに集約される画像の数を指定する画像集約数設定機能４０１と合わせて、利用者の希望する集約数を容易に設定することができる。
【００８８】
また、第１実施形態によれば、画像形成装置１の制御部４０の機能として、１ページに集約される複数ページの画像を同時に変倍してプレビュー表示する集約画像変倍表示機能４０２を備えているので、複数ページの画像が変倍されて集約された状態を素早く確認することができる。
【００８９】
また、第１実施形態によれば、画像形成装置１の制御部４０の機能として、１ページに集約される複数ページの画像を同時に回転してプレビュー表示する集約画像回転表示機能４０３を備えているので、複数ページの画像が回転して集約された状態を素早く確認することができる。
【００９０】
（変形例１）
次に、第１実施形態の画像形成装置１の操作部１０においてタッチ操作により集約印刷を設定する操作の変形例１について説明する。
図１０は第１実施形態の画像形成装置の操作部において集約印刷を設定する操作の変形例１を示すフローチャートである。
【００９１】
変形例１は、第１実施形態の画像形成装置１の操作部１０において、タッチ操作により集約印刷を設定する際に、ページアイコンに対するマルチタッチによるドラッグ操作により、画像移動を行うことによるページ配置操作として受付け、ページアイコンに対するシングルタッチによるドラッグ操作により、ページ画像移動・表示を行うことによるページ入れ替え操作として受付けることを特徴とするものである。
【００９２】
以下に、画像形成装置１の操作部１０におけるタッチ操作による集約印刷の設定について、フローチャートに沿って説明する。
【００９３】
変形例１における集約印刷の設定は、図１０に示すように、ページアイコンに対するマルチタッチによるドラッグ操作に加えて、ページアイコンに対するシングルタッチによるドラッグ操作（図中の２点鎖線の範囲）以外は、前述した第１実施形態とほぼ同様に行われる。
【００９４】
すなわち、ユーザが原稿をセットして、ステップＳ１において原稿読み取りの開始指示が行われてからステップＳ１１までは、第１実施形態と同様の設定処理が実行される。
【００９５】
ステップＳ１１において、タッチ入力がピンチアウト操作であると判断された場合は、画像を拡大して（ステップＳ１２）、そのプレビュー画像を表示部１１に表示して（ステップＳ１３）、ステップＳ１４に進む。
【００９６】
一方、ステップＳ１１において、タッチ入力がピンチアウト操作ではないと判断された場合は、そのままステップＳ１４に進む。
【００９７】
ステップＳ１４では、タッチ入力がマルチタッチによるドラッグ操作であるか否かが判断される。
ステップＳ１４において、タッチ入力がマルチタッチによるドラッグ操作であると判断された場合は、画像を指示通り移動して（ステップＳ１５）、そのプレビュー画像を表示部１１に表示して（ステップＳ１６）、ステップＳ１７に進む。
【００９８】
一方、ステップＳ１４において、タッチ入力がマルチタッチによるドラッグ操作ではないと判断された場合は、そのままステップＳ１７に進む。
【００９９】
なお、入力部１２において、プレビュー画像上に対して上述した何れの操作が行われたかを、図示しない記憶部にいったん記録し、例えば、図８に示すプレビュー画像を表示する処理をするためのテーブルを参照して、行われた操作に基づき、該当する表示処理Ａ〜Ｆをテーブルから読み出して、Ｎ−ｕｐ印刷またはリピート印刷の設定に反映する。
【０１００】
ステップＳ１７では、タッチ入力による操作が、プレビュー画像を表示する処理をするためのテーブルにおいて参照される。そして、プレビュー画像を表示する処理をするためのテーブルに基づき、集約後の状態が表示部１１にプレビュー表示される（ステップＳ１８）。
【０１０１】
そして、タッチ入力がシングルタッチによるドラッグ操作であるが否かが判断される（ステップＳ１０１）
【０１０２】
ステップＳ１０１において、タッチ入力がシングルタッチによるドラッグ操作であると判断された場合は、ページ画像を指示通り移動して表示し（ステップＳ１０２）、ページ画像を入れ替える編集処理を行い（ステップＳ１０３）、ステップＳ１９に進む。
【０１０３】
一方、ステップＳ１０１において、タッチ入力がシングルタッチによるドラッグ操作ではないと判断された場合は、そのままステップＳ１９に進む。
【０１０４】
以下、ステップＳ１９から印刷処理を実行するステップＳ２２までの処理は、第１実施例と同様に行われて、画像形成装置１における変形例１の集約印刷の処理は終了する。
【０１０５】
以上のように構成したので、変形例１によれば、ページアイコンに対してマルチタッチによるドラッグ操作、または、シングルタッチによるドラッグ操作によりそれぞれ異なる処理を指示することができるので、従来のように操作パネル上でのモード切替操作等を行うことなく、表示部１１における集約操作中にページの入れ替え操作を行うことができるため、操作効率の向上を図ることができる。
【０１０６】
また、変形例１によれば、表示部１１において、マルチタッチで変倍した後に、指を離さずにドラッグ操作によりそのままページを移動させられるので、スムーズな操作を実現できる。
【０１０７】
（変形例２）
次に、第１実施形態の画像形成装置１の操作部１０においてタッチ操作により集約印刷を設定する操作の変形例２について説明する。
図１１は第１実施形態の画像形成装置の操作部において集約印刷を設定する操作の変形例２を示すフローチャートである。
【０１０８】
変形例２は、第１実施形態の画像形成装置１の操作部１０において、タッチ操作により集約印刷を設定する際に、編集印刷を行うページの範囲を指定する処理を行うことを特徴とするものである。
【０１０９】
以下に、画像形成装置１の操作部１０におけるタッチ操作による集約印刷の設定について、フローチャートに沿って説明する。
【０１１０】
変形例２における集約印刷の設定は、図１１に示すように、編集印刷を行うページの範囲を指定する処理（図中の２点鎖線の範囲）以外は、前述した第１実施形態とほぼ同様に行われる。
【０１１１】
すなわち、ユーザが原稿をセットして、ステップＳ１において原稿読み取りの開始指示が行われてからステップＳ４までは、第１実施形態と同様の設定処理が実行される。
【０１１２】
ステップＳ４において、入力部１２におけるタッチ入力が検出されたと判断された場合は、ステップＳ２０１に進む。
【０１１３】
ステップＳ２０１では、ページ範囲を指定する操作が行われたか否かが判断される。
ステップＳ２０１において、ページ範囲を指定する操作が行われたと判断された場合は、ページ範囲を指定する処理が行われて（ステップＳ２０２）、ステップＳ５に進む。
【０１１４】
一方、ステップＳ２０１において、ページ範囲を指定する操作が行われていないと判断された場合は、そのままステップＳ５に進む。
【０１１５】
以下、ステップＳ５から印刷処理を実行するステップＳ２２までの処理は、第１実施例と同様に行われて、画像形成装置１における変形例２の集約印刷の処理は終了する。
【０１１６】
以上のように構成したので、変形例２によれば、タッチ操作により集約印刷を設定する際に、編集印刷を行うページの範囲を指定する処理を行うことで、ページ途中の設定変更が可能になるので、操作性が向上する。
【０１１７】
（第２実施形態）
次に、本発明の第２実施形態について図面を参照して説明する。
図１２は本発明の第２実施形態に係る情報処理装置と画像形成装置の構成をブロック図で示す説明図である。
【０１１８】
第２実施形態は、図１２に示すように、タッチパネル表示装置１１０を備えた情報処理装置１００が画像形成装置２００に接続されて、情報処理装置１００からの印刷データに基づき画像形成装置２００により集約印刷を行うようにしたものである。
【０１１９】
情報処理装置１００は、図１２に示すように、情報を表示する表示部１１１と、集約印刷を設定する機能を備える入力部（設定部）１１２と、入力部１１２により設定された事項に基づき表示部１１１に表示される情報を制御する制御部１４０とを備える情報処理装置であって、本発明に係る情報処理装置の特徴的な構成を採用したものである。
【０１２０】
情報処理装置１００は、主に、表示部１１１と入力部１１２を具備するタッチパネル表示装置１１０と、装置を制御する制御部１４０と、外部装置と接続する通信部１５０とを備えて構成されている。
【０１２１】
表示部１１１と入力部１１２の基本構成は、第１実施形態の表示部１１と入力部１２の構成と同様な構成を備えるものとして説明を省略する。
【０１２２】
入力部１１２は、特徴的な機能として、利用者のマルチタッチによるピンチイン・ピンチアウト操作により画像倍率を設定する画像倍率設定機能１１２１と、マルチタッチの回転操作により集約される画像の向きを指定するローテート操作機能１１２２と、ドラッグ操作により用紙上の画像の位置及び並び順を指定するドラッグ操作機能１１２３とを備えている。
【０１２３】
制御部１４０は、特徴的な機能として、マルチタッチによるピンチイン・ピンチアウト操作により設定される画像倍率に応じて１ページあたりに集約される画像の数を指定する画像集約数設定機能１４０１と、１ページに集約される複数ページの画像を同時に変倍してプレビュー表示する集約画像変倍表示機能１４０２と、１ページに集約される複数ページの画像を同時に回転してプレビュー表示する集約画像回転表示機能１４０３を備えている。
【０１２４】
画像形成装置２００は、集約印刷を可能に構成され、画像形成部２３０と、装置を制御する制御部２４０と、外部装置と接続する通信部２５０とを備えている。
なお、画像出力に係る構成等、他の構成の説明は省略する。
【０１２５】
情報処理装置１００と画像形成装置２００の通信部１５０，２５０は、ＬＡＮ回線を介して接続可能に構成したものであってもよい。
【０１２６】
次に、第２実施形態の情報処理装置１００のタッチパネル表示装置１１０においてタッチ操作により集約印刷を設定する操作に関する情報処理装置１００のプリンタドライバの処理手順について、フローチャートに沿って説明する。
図１３は第２実施形態の情報処理装置のタッチパネル表示装置において集約印刷を設定する手順を示すフローチャートである。
【０１２７】
情報処理装置１００において、Ｎ−ｕｐ印刷またはリピート印刷を行う集約印刷の動作モードをユーザが指定するとフローがスタートする。
【０１２８】
まず、ユーザが原稿をセットして、印刷開始の指示が行われたか否かが判断される（ステップＳ３０１）。ステップＳ３０１において、印刷開始の指示が行われたと判断された場合は、文書データの読み取りが実行される（ステップＳ３０２）。そして、表示部１１１に読み取られた原稿のプレビュー画像が表示される（ステップＳ３０３）。そして、ステップＳ３０４に進む。
【０１２９】
ステップＳ３０４では、タッチパネル表示装置１１０の入力部１１２においてタッチ入力が検出されたか否かが判断される。
【０１３０】
入力部１１２においてタッチパネルへのタッチ入力が検出されると、そのタッチ入力が原稿のプレビュー画像（サムネイル）が表示されている領域に対するタッチ入力であり、かつローテート、ピンチイン、ピンチアウト、ドラッグの操作の場合、それらの操作に応じてプレビュー画像の表示を回転、拡大、縮小、移動させて表示を行う。
【０１３１】
ステップＳ３０４において、入力部１１２におけるタッチ入力が検出されたと判断された場合は、そのタッチ入力がローテート操作であるか否かが判断される（ステップＳ３０５）。
【０１３２】
ステップＳ３０５において、タッチ入力がローテート操作であると判断された場合は、指示された方向（角度）に画像を回転して（ステップＳ３０６）、そのプレビュー画像を表示部１１１に表示して（ステップＳ３０７）、ステップＳ３０８に進む。
【０１３３】
一方、ステップＳ３０５において、タッチ入力がローテート操作ではないと判断された場合は、そのままステップＳ３０８に進む。
【０１３４】
ステップＳ３０８では、タッチ入力がピッチイン操作（縮小操作）であるか否かが判断される。ステップＳ３０８において、タッチ入力がピッチイン操作であると判断された場合は、画像を縮小して（ステップＳ３０９）、そのプレビュー画像を表示部１１１に表示して（ステップＳ３１０）、ステップＳ３１１に進む。
【０１３５】
一方、ステップＳ３０８において、タッチ入力がピッチイン操作ではないと判断された場合は、そのままステップＳ３１１に進む。
【０１３６】
ステップＳ３１１では、タッチ入力がピンチアウト操作（拡大操作）であるか否かが判断される。ステップＳ３１１において、タッチ入力がピンチアウト操作であると判断された場合は、画像を拡大して（ステップＳ３１２）、そのプレビュー画像を表示部１１１に表示して（ステップＳ３１３）、ステップＳ３１４に進む。
【０１３７】
一方、ステップＳ３１１において、タッチ入力がピンチアウト操作ではないと判断された場合は、そのままステップＳ３１４に進む。
【０１３８】
ステップＳ３１４では、タッチ入力がドラッグ操作であるか否かが判断される。
ステップＳ３１４において、タッチ入力がドラッグ操作であると判断された場合は、画像を指示通り移動して（ステップＳ３１５）、そのプレビュー画像を表示部１１１に表示して（ステップＳ３１６）、ステップＳ３１７に進む。
【０１３９】
一方、ステップＳ３１４において、タッチ入力がドラッグ操作ではないと判断された場合は、そのままステップＳ３１７に進む。
【０１４０】
なお、入力部１１２において、プレビュー画像上に対して上述した何れの操作が行われたかを、図示しない記憶部にいったん記録し、例えば、図８に示すプレビュー画像を表示する処理をするためのテーブルを参照して、行われた操作に基づき、該当する表示処理Ａ〜Ｆをテーブルから読み出して、Ｎ−ｕｐ印刷またはリピート印刷の設定に反映する。
なお、表示処理Ａ〜Ｆの説明は、第１実施形態における説明を参照することで説明を省略する。
【０１４１】
ステップＳ３１７では、タッチ入力による操作が、プレビュー画像を表示する処理をするためのテーブルにおいて参照される。そして、プレビュー画像を表示する処理をするためのテーブルに基づき、集約後の状態が表示部１１１にプレビュー表示される（ステップＳ３１８）。
【０１４２】
そして、その他の操作により指示があったか否かが判断される（ステップＳ３１９）。
ステップＳ３１９において、その他の操作による指示があったと判断された場合は、操作に応じた処理が実行されて（ステップＳ３２０）、ステップＳ３２１に進む。
【０１４３】
一方、ステップＳ３１９において、その他の操作による指示がないと判断された場合は、そのままステップＳ３２１に進む。
【０１４４】
ステップＳ３２１では、印刷開始の指示があったか否かが判断される。
ステップＳ３２１において、印刷開始の指示がないと判断された場合は、ステップＳ３０４に戻る。
【０１４５】
一方、ステップＳ３２１において、印刷開始の指示があったと判断された場合は、情報処理装置１００において印刷データが作成され（ステップＳ３２２）、情報処理装置１００から印刷データを画像形成装置２００に送信する（ステップＳ３２３）。
【０１４６】
このようにして、情報処理装置１００において集約印刷の設定が行われて、画像形成装置２００において集約印刷が実行される。
【０１４７】
以上のように構成したので、第２実施形態によれば、タッチパネル表示装置１１０を備えた情報処理装置１００が画像形成装置２００に接続されるシステム構成において、入力部１１２の構成として、利用者のマルチタッチによるピンチイン・ピンチアウト操作により画像倍率を設定する画像倍率設定機能１１２１と、マルチタッチの回転操作により集約される画像の向きを指定するローテート操作機能１１２２と、ドラッグ操作により用紙上の画像の位置及び並び順を指定するドラッグ操作機能１１２３とを備え、制御部１４０の構成として、マルチタッチによるピンチイン・ピンチアウト操作により設定される画像倍率に応じて１ページあたりに集約される画像の数を指定する画像集約数設定機能１４０１と、１ページに集約される複数ページの画像を同時に変倍してプレビュー表示する集約画像変倍表示機能１４０２と、１ページに集約される複数ページの画像を同時に回転してプレビュー表示する集約画像回転表示機能１４０３を備えることで、集約印刷としてＮ−ｕｐ印刷やリピート印刷を行う場合に、情報処理装置１００のタッチパネル表示装置１１０を用いてマルチタッチによる集約印刷の設定を行い、画像形成装置２００から出力することができる。
【０１４８】
そして、情報処理装置１００のタッチパネル表示装置１１０において、第１実施形態と同様に、利用者によるタッチ操作をマルチタッチ操作とすることにより、複数の指をタッチ面から離さずにピンチイン・アウトとローテートの連続操作ができるので、従来よりも素早く直感的な操作が可能となり、操作性の改善を図ることができる。
【０１４９】
以上のように、本発明は、上述した実施形態や変形例に限定されるものではなく、請求項に示した範囲で種々の変更が可能である。すなわち、本発明の要旨を逸脱しない範囲内において適宜変更した技術的手段を組み合わせて得られる実施形態についても本発明の技術的範囲に含まれる。
【符号の説明】
【０１５０】
１，２００  画像形成装置
１０  操作部
１１，１１１  表示部
１２，１１２  入力部（設定部）
２０  原稿読取部
３０，２３０画像形成部
４０，１４０，２４０  制御部
１００  情報処理装置
１１０  タッチパネル表示装置
１２１，１１２１  画像倍率設定機能
１２２，１１２２  ローテート操作機能
１２３，１１２３  ドラッグ操作機能
１５０，２５０  通信部
４０１，１４０１  画像集約数設定機能
４０２，１４０２  集約画像変倍表示機能
４０３，１４０３  集約画像回転表示機能
【図１】
2014068101.tif 000003
【図２】
2014068101.tif 000004
【図３】
2014068101.tif 000005
【図４】
2014068101.tif 000006
【図５】
2014068101.tif 000007
【図６】
2014068101.tif 000008
【図７】
2014068101.tif 000009
【図８】
2014068101.tif 000010
【図９】
2014068101.tif 000011
【図１０】
2014068101.tif 000012
【図１１】
2014068101.tif 000013
【図１２】
2014068101.tif 000014
【図１３】
2014068101.tif 000015